(57)【要約】【課題】移動部材の興趣の向上が図られること。【解決手段】遊技機１０は、支持ベース１０１と、支持ベース１０１に対して上下に移動可能な可動演出部材１５０と、を有する。可動演出部材１５０には、上下に移動可能な第１可動部１５１と、第１可動部１５１に支持されて第１可動部１５１に対して回動可能な第２可動部１６１と、が備えられている。第２可動部１６１には、支持ベース１０１へ向かって突出する係合ピン１６５が設けられ、支持ベース１０１には、第１可動部１５１の移動に伴って係合ピン１６５を移動させることで第２可動部１６１を回動させるガイド突壁１０７が設けられている。【選択図】図１３
2020032019.tif 000002
【特許請求の範囲】
【請求項１】
支持部材と、
前記支持部材に支持され、前記支持部材に対して第１方向に移動可能な移動部材と、を有する遊技機において、
前記移動部材には、前記第１方向に移動可能な第１可動部と、前記第１可動部に支持されて前記第１可動部に対して前記第１方向とは異なる第２方向に移動可能な第２可動部と、が備えられ、
前記第１可動部の移動に伴って前記第２可動部を移動させる連動機構を有する、遊技機。
【発明の詳細な説明】
【技術分野】
【０００１】
本開示は、遊技機に関する。
【背景技術】
【０００２】
特許文献１の遊技機には、上下方向に移動する移動部材を備えた遊技機が示されている。
【先行技術文献】
【特許文献】
【０００３】
【特許文献１】特開２００８−２２９０５５号（段落［００３３］、図３）
【発明の概要】
【発明が解決しようとする課題】
【０００４】
特許文献１の遊技機では、移動部材の動きが単調であるという問題があり、移動部材の興趣の向上が求められている。
【課題を解決するための手段】
【０００５】
上記課題を解決するためになされた請求項１の発明は、支持部材と、前記支持部材に支持され、前記支持部材に対して第１方向に移動可能な移動部材と、を有する遊技機において、前記移動部材には、前記第１方向に移動可能な第１可動部と、前記第１可動部に支持されて前記第１可動部に対して前記第１方向とは異なる第２方向に移動可能な第２可動部と、が備えられ、前記第１可動部の移動に伴って前記第２可動部を移動させる連動機構を有する、遊技機である。
【発明の効果】
【０００６】
移動部材の興趣の向上が図られる。
【図面の簡単な説明】
【０００７】
【図１】本開示の一実施形態に係る遊技機の正面図
【図２】遊技盤の正面図
【図３】可動役物装置の前方斜視図
【図４】可動役物装置の後方斜視図
【図５】支持ベースの分解斜視図
【図６】支持ベースのベース本体の分解斜視図
【図７】駆動機構の斜視図
【図８】可動演出部材の後方斜視図
【図９】可動演出部材の分解斜視図
【図１０】可動役物装置のＡ−Ａ断面図
【図１１】可動役物装置のＢ−Ｂ断面図
【図１２】２つの係合ピンを横切る面で可動演出部材を切断して後側から見た断面図
【図１３】係合ピンとガイド突壁の配置を説明するための図
【図１４】可動役物装置のＣ−Ｃ断面図
【図１５】第１可動部が可動ストロークの上端に配置されたときの（Ａ）可動演出部材の正面図、（Ｂ）係合ピンとガイド突壁の配置を示す断面図
【図１６】第１可動部が移動しているときの（Ａ）可動演出部材の正面図、（Ｂ）係合ピンとガイド突壁の配置を示す断面図
【図１７】第１可動部が移動しているときの（Ａ）可動演出部材の正面図、（Ｂ）係合ピンとガイド突壁の配置を示す断面図
【図１８】第１可動部が可動ストロークの下端に配置されたときの（Ａ）可動演出部材の正面図、（Ｂ）係合ピンとガイド突壁の配置を示す断面図
【発明を実施するための形態】
【０００８】
図１に示されるように、本実施形態の遊技機１０は、図２に示される遊技盤１１を前面枠１０Ｚで覆ってなり、その前面枠１０Ｚに形成されたガラス窓１０Ｗを通して、遊技盤１１の前面側に形成された遊技領域Ｒ１の全体が視認可能となっている。遊技領域Ｒ１は、遊技盤１１の前面から突出した略円形のガイドレール１２に囲まれている（図２参照）。なお、以下の説明において、特記しない限り「右」及び「左」とは、遊技機１０を前方から見た場合の「右」及び「左」を指すものとする。
【０００９】
図１に示されるように、前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８が回動操作されると、上皿２６に収容された遊技球が発射装置（図示せず）によって１球ずつ遊技領域Ｒ１に向けて弾き出される。
【００１０】
図２に示されるように、遊技盤１１のうち遊技領域Ｒ１の中央には、表示開口１１Ｈが貫通形成されていて、その表示開口１１Ｈに遊技盤１１の裏面側から表示装置１３が対向している。表示装置１３は、例えば、液晶モジュールで構成され、遊技に関する演出を行う表示画面１３Ｇを前面に有する。
【００１１】
遊技盤１１の前面中央には、表示画面１３Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域Ｒ１を流下する遊技球が、表示装飾枠２３を乗り越えて表示装飾枠２３の内側に進入することが規制されている。
【００１２】
遊技領域Ｒ１のうち表示装飾枠２３の右側部分には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１３】
遊技領域Ｒ１のうち表示装飾枠２３の下側部分における横方向の中央部には、第１始動入賞口１４Ａが設けられている。第１始動入賞口１４Ａは、遊技球が１つずつ入球可能な大きさの開口を上部に有するポケット構造をなして、常時開放している。
【００１４】
第１始動入賞口１４Ａの下方には、第２始動入賞口１４Ｂが設けられている。第２始動入賞口１４Ｂは、前側に開放し、回動扉１４Ｔによって開閉される。具体的には、回動扉１４Ｔは、通常は、鉛直に起立した閉位置に配置され、上述の普通図柄当否判定で当りになると、下端部を中心に回動し、前倒しとなった開位置に配置される。開位置に配置された回動扉１４Ｔは、上方から流下する遊技球を受け止めて第２の始動入賞口１４Ｂへと案内する。
【００１５】
各始動入賞口１４Ａ，１４Ｂに遊技球が入球すると、所定数の遊技球が賞球として上皿２６（図１参照）に払い出されると共に、特別図柄当否判定が行われる。特別図柄当否判定の結果は、表示画面１３Ｇに表示される。特別図柄当否判定で当りになると、遊技状態が大当り遊技状態になって、大当り遊技が実行される。
【００１６】
遊技領域Ｒ１のうち表示装飾枠２３の右下部分には、可動扉１５ＡＴによって開閉される第１大入賞口１５Ａが設けられている。また、表示装飾枠２３の右側部には、可動翼片１５ＢＨによって開閉される第２大入賞口１５Ｂが設けられている。第１大入賞口１５Ａ又は第２大入賞口１５Ｂは、大当り遊技中に開放される。第１大入賞口１５Ａ又は第２大入賞口１５Ｂに遊技球が入球すると、所定数の遊技球が賞球として上皿２６（図１参照）に払い出される。大当り遊技では、予め設定された回数だけ第１大入賞口１５Ａ又は第２大入賞口１５Ｂが開放されるラウンド遊技が、大当り遊技の種類に応じた回数だけ実行される。１回のラウンド遊技は、予め定められた上限数の遊技球が第１大入賞口１５Ａ又は第２大入賞口１５Ｂに入球するか又は予め設定されたラウンド遊技時間が経過すると、終了する。
【００１７】
遊技領域Ｒ１には、第１始動入賞口１４Ａ、第２始動入賞口１４Ｂ、第１大入賞口１５Ａ及び第２大入賞口１５Ｂのほか複数の一般入賞口２０が設けられている。一般入賞口２０は、第１始動入賞口１４Ａと同様のポケット構造をなして、常時開放している。一般入賞口２０に遊技球が入球すると、所定数の遊技球が賞球として上皿２６（図１参照）に払い出される。また、遊技領域Ｒ１には、何れの入賞口１４Ａ，１４Ｂ，１５Ａ，１５Ｂ，２０にも入球しなかった遊技球を外部に排出するためのアウト口１６が備えられている。
【００１８】
図２、図３及び図４に示されるように、遊技機１０では、表示装飾枠２３の上辺部に可動役物装置１００が組み付けられている。可動役物装置１００は、表示装飾枠２３に一体形成された支持ベース１０１と、支持ベース１０１に支持されて遊技盤１１の前面と平行な方向に沿って移動可能な可動演出部材１５０と、可動演出部材１５０を駆動するための駆動機構１７０（図４参照）と、を備えている。具体的には、支持ベース１０１は、表示装飾枠２３の上辺部から表示装飾枠２３の内側に張り出していて、可動演出部材１５０は、表示画面１３Ｇの前側を移動するようになっている。
【００１９】
図５に示されるように、支持ベース１０１は、ベース本体１０２と、カバー１２０と、からなる。なお、カバー１２０を前側から見た外形形状は、ベース本体１０２を前側から見た外形形状とほぼ同じになっていて、カバー１２０は、ベース本体１０２の前面のほぼ全域を覆うようになっている。
【００２０】
図６に示されるように、ベース本体１０２は、前側に開放したケース部１０３と、ケース部１０３を前側から覆う蓋部１０４と、で構成されている。蓋部１０４を前側から見た形状は、ケース部１０３を前側から見た形状よりも横長になっていて、蓋部１０４には、ケース部１０３から横方向一方側に飛び出す突片部１０４Ｔが備えられている。なお、突片部１０４Ｔは、蓋部１０４のうちケース部１０３と重なる部分との間に切欠部１０４Ｋを形成する鉤状に形成されている。
【００２１】
ケース部１０３の中には、駆動機構１７０に含まれる複数のギヤ１７２と、中継基板９２と、が収容されている。なお、複数のギヤ１７２は、ケース部１０３の横方向一方側の部分（具体的には、左側部分）に収容され、中継基板９２は、ケース部１０３の横方向他方側の部分（具体的には、右側部分）に収容されている。
【００２２】
蓋部１０４の横方向の中央寄り部分には、ガイド孔１０５と円弧孔１０６が形成されている。ガイド孔１０５は、ケース部１０３の横方向一方側の端部（具体的には、左側の端部）に重ねられて、上下方向に沿って直線状に延在している。円弧孔１０６は、ガイド孔１０５に対して横方向他方側に配置され、ガイド孔１０５に向かって膨出する半円状をなしている。なお、ガイド孔１０５の開口縁は、前側に迫り出したガイド孔膨出部１０５Ａとなっている、また、円弧孔１０６の開口縁は、前側に迫り出した円弧孔膨出部１０６Ａとなっている。
【００２３】
蓋部１０４の前面には、ガイド孔１０５と同様に上下方向に沿って延在するガイド突壁１０７が突設されている。本実施形態では、ガイド突壁１０７は、ガイド孔１０５及び円弧孔１０６を横方向に挟むように対をなして備えられている。詳細には、ガイド孔１０５及び円弧孔１０６に対して横方向一方側（具体的には、左側）に配置されるガイド突壁１０７は、蓋部１０４における横方向一方側の端縁に配置されている。ガイド孔１０５及び円弧孔１０６に対して横方向他方側（具体的には、右側）に配置されるガイド突壁１０７は、蓋部１０４における横方向の中央寄り部分に配置されている。
【００２４】
ガイド突壁１０７は、ガイド孔１０５から離れる方向に円弧状に膨出する湾曲部１０７Ａを上下方向に複数連ねて備える波状に形成されている。そして、１対のガイド突壁１０７，１０７は、左右対称となるように配置されている。
【００２５】
図６に示されるように、蓋部１０４の前面の下端部には、陥没部１０８が形成されている。陥没部１０８は、ガイド孔１０５に対して横方向他方側（具体的には、右側）に配置されて、前方と下方とに開放している。本実施形態では、陥没部１０８は、円弧孔１０６の下方に配置されている。
【００２６】
図５に示されるように、カバー１２０は、ベース本体１０２の前面に重ねられる主板１２０Ａと、主板１２０Ａの外縁部から後側に突出した囲壁１２０Ｈと、を備えている。
【００２７】
カバー１２０の主板１２０Ａには、ガイド孔膨出部１０５Ａと共にガイド孔１０５を受容するガイド孔受容切欠部１２１と、円弧孔膨出部１０６Ａと共に円弧孔１０６を受容する円弧孔受容開口部１２２と、が形成されている。なお、ガイド孔受容開口部１２１は、ガイド孔膨出部１０５Ａに外側から嵌合可能な直線状に形成され、円弧孔受容開口部１２２は、円弧孔膨出部１０６Ａに外側から嵌合可能な円弧状に形成されている。
【００２８】
また、カバー１２０の主板１２０Ａには、横方向他方側（具体的には、右側）のガイド突壁１０７を受容するガイド突壁受容開口部１２３が形成されている。ガイド突壁受容開口部１２３は、略縦長矩形状に形成されていて、ガイド突壁受容開口部１２３の開口縁には、ガイド突壁１０７と同様に、ガイド孔受容切欠部１２１から離れる方向に円弧状に膨出する湾曲部１２４Ａを複数連ねて備える波状に形成された波状縁部１２４が設けられている。ガイド突壁受容開口部１２３に受容されたガイド突壁１０７は、波状縁部１２４に密接配置され、ガイド突壁１０７の各湾曲部１０７Ａは、ガイド突壁受容開口部１２３の波状縁部１２４の各湾曲部１２４Ａの内側に収まる。
【００２９】
囲壁１２０Ｈのうち主板１２０Ａの下端から突出する部分には、ベース本体１０２の陥没部１０８に対向配置される対向切欠部１２５が形成されている。図１０に示されるように、カバー部材１２０がベース本体１０２の前面に取り付けられると、陥没部１０８と対向切欠部１２５によって、突片受容孔１０９が形成される。
【００３０】
図６及び図７に示されるように、駆動機構１７０は、駆動源としてのモータ１７１と、モータ１７１からの動力を伝達するための複数のギヤ１７２と、を有している。複数のギヤ１７２のうち動力伝達経路の最上流に配置されたギヤ１７２Ｊは、モータ１７１の回転出力軸に固定されている。複数のギヤ１７２のうち動力伝達経路の最下流に配置されるギヤ１７２Ｋには、そのギヤ１７２Ｋと一体に回転する駆動ピン１７２Ｐが備えられている。
【００３１】
図３に示されるように、可動演出部材１５０は、第１可動部１５１と第２可動部１６１とを有する。第１可動部１５１は、支持ベース１０１に直動可能に支持され、第２可動部１６１は、第１可動部１５１に回動可能に支持されている。なお、第１可動部１５１は、正面視略円形状をなし、第２可動部１６１は、第１可動部１５１の両側部に組み付けられている。
【００３２】
図８に示されるように、第１可動部１５１は、前後に重なる装飾プレート１５２とケース１５３の間に、第１可動部１５１（詳細には、装飾プレート１５２）を発光させるための可動発光基板９４を備えてなる。具体的には、ケース１５３は、前側に開放し、装飾プレート１５２は、ケース１５３を前側から覆う。可動発光基板９４は、ケース１５３内に収容されている。
【００３３】
ケース１５３の後面には、上下方向に延在するガイド溝１５３Ｍが形成されている。ガイド溝１５３Ｍは、支持ベース１０１においてカバー１２０のガイド孔切欠部１２１に受容されたガイド孔膨出部１０５Ａを受容する（図１４参照）。
【００３４】
図８及び図１４に示されるように、ガイド溝１５３Ｍの溝底面からは、ガイド突部１５５が突出している。ガイド突部１５５は、ガイド溝１５３Ｍに受容されたガイド孔１０５と係合する。これにより、第１可動部１５１は、支持ベース１０１に直動可能に支持される。なお、ガイド突部１５５は、ガイド溝１５３Ｍの延在方向に複数設けられている（図８参照）。また、ガイド突部１５５の突出方向の先端部には、ガイド突部１５５をガイド孔１０５から抜け止めするための鍔部１５５Ｔが備えられている。
【００３５】
図８に示されるように、ケース１５３の後面には、横方向に延在する係合長孔１５３Ｎが形成されている。係合長孔１５３Ｎには、円形キャップ１７３が係入される。円形キャップ１７３は、駆動機構１７０のギヤ１７２（詳細には、動力伝達経路の最下流のギヤ１７２Ｋ）に形成された駆動ピン１７２Ｐ（図７参照）に取り付けられている。
【００３６】
ケース１５３の下端部には、後側に突出する下端突部１５６が設けられている。下端突部１５６は、ケース１５３の後面から後側に張り出した後方張出部１５６Ｈと、後方張出部１５６Ｈの後端から上側に突出する突片部１５６Ｔと、からなる鉤状に形成されている。図１０に示されるように、突片部１５６Ｔは、支持ベース１０１の陥没部１０８とカバー１２０の対向切欠部１２５によって形成された突片受容孔１０９に受容される。
【００３７】
また、図９及び図１１に示されるように、ケース１５３には、可動発光基板９４に接続されたケーブル９０を後側に引き出すためのケーブル挿通孔９１が設けられている。ケーブル挿通孔９１から引き出されたケーブル９０は、支持ベース１０１のケース部１０３に収容された中継基板９２へ取り回される（図７参照）。
【００３８】
詳細には、図８及び図１１に示されるように、ケーブル挿通孔９１は、ケース１５３の後面から突出する箱形突壁１５７の内側部分によって形成される。箱形突壁１５７は、後側から見て略縦長矩形状に形成され、箱形突壁１５７の上部からは、ケーブル挿通孔９１から引き出されたケーブル９０を中継基板９２に誘導するための誘導突片１５８が張り出している。箱形突壁１５７は、支持ベース１０１のベース本体１０２の蓋部１０４に形成された切欠部１０４Ｋ（図５参照）に受容される。また、誘導突片１５８は、支持ベース１０１のベース本体１０２に後側から重ねられる（図１１参照）。
【００３９】
箱形突壁１５７と誘導突片１５８には、配線カバー１５９が後側から取り付けられる。配線カバー１５９は、誘導突片１５８との間にケーブル９０を挟む配線押さえになっている。なお、配線カバー１５９の側部（詳細には、ガイド溝１５３Ｍ（図８参照）に臨む側部）は、誘導突片１５８との間に、ガイド溝１５３Ｍと略平行な線状の隙間（図示せず）を形成する。そして、配線カバー１５９と誘導突片１５８との間に挟まれたケーブル９０は、この線状の隙間から外側に引き出される。
【００４０】
図８に示されるように、配線カバー１５９のうちガイド溝１５３Ｍと反対側を向く側部には、係止フック１５９Ｆが形成されている。係止フック１５９Ｆには、図９に示されるアシストバネ１３０の一端が取り付けられる。アシストバネ１３０の他端は、支持ベース１０１に形成されたフック部１３１に取り付けられる。
【００４１】
ケース１５３の両側部には、上側に張り出す１対の支持突部１６２，１６２が設けられている。そして、１対の支持突部１６２，１６２のそれぞれに、第２可動部１６１が回転自在に取り付けられている。なお、１対の支持突部１６２，１６２は、上側へ向かうにつれて横方向で互いに離れるように傾斜している。
【００４２】
詳細には、支持突部１６２には、図示しない貫通孔が形成され、第２可動部１６１に突設された回転軸部１６１Ｊが、当該貫通孔を挿通した状態で抜け止めされている。これにより、第２可動部１６１は、第１可動部１５１に回動可能に支持される。
【００４３】
第２可動部１６１は、第１可動部１５１から離れる方向に付勢されている。具体的には、第２可動部１６１の後面には、係合ピン１６５が突設されている。また、図１２に示されるように、支持突部１６２は、中空構造になっていて、回転軸部１６１Ｊを中心に有するトーションバネ１６３を収容している。トーションバネ１６３の両端部は、互いに離れるように付勢され、支持突部１６２の内面と係合ピン１６５とに挟まれている。これにより、第２可動部１６１は、第１可動部１５１から離れるように付勢される。
【００４４】
図８に示されるように、係合ピン１６５は、ローラ支軸１６６にローラ１６７が回転自在に支持されてなる。ローラ支軸１６６は、係合ピン１６５の基端部を構成し、ローラ１６７は、係合ピン１６５の先端部を構成する。なお、トーションバネ１６３の端部は、ローラ支軸１６６と当接する（図１２参照）。
【００４５】
図１５〜図１８には、駆動機構１７０によって駆動される可動演出部材１５０が示されている。図１５（Ｂ）→図１６（Ｂ）→図１７（Ｂ）→図１８（Ｂ）の流れに示されるように、駆動源１７１が作動すると、最下流のギア１７２Ｋ（図７参照）の駆動ピン１７２Ｐが円弧孔１０６に沿って回転する。駆動ピン１７２Ｐに取り付けられた円形キャップ１７３は、第１可動部１５１のケース１５３に形成された係合長孔１５３Ｎ（図８参照）を移動しながら、第１可動部１５１を上下方向に押す。その結果、第１可動部１５１がガイド孔１０５に沿って上下に移動する。
【００４６】
図１５（Ａ）→図１６（Ａ）の流れに示されるように、第２可動部１６１は、第１可動部１５１の上下移動に伴って、回動軸部１６１Ｊを中心に回動する。具体的には、第２可動部１６１の係合ピン１６５は、支持ベース１０１に形成されたガイド突壁１０７に対して、横方向で第１可動部１５１に近い側から対向する。ここで、係合ピン１６５は、トーションバネ１６３によって第１可動部１５１から離れるように付勢されるので、ガイド突壁１０７に押し付けられる。第１可動部１５１が上下に移動すると、係合ピン１６５は、ガイド突壁１０７の側面（詳細には、第１可動部１５１に臨む面）を摺動し、湾曲部１０７Ａによって第１可動部１５１に近づいたり離れたりする。これにより、第２可動部１６１が第１可動部１５１に対して回動する。本実施形態では、ガイド突壁１０７には、湾曲部１０７Ａが複数備えられているので、図１５（Ａ）→図１６（Ａ）→図１７（Ａ）→図１８（Ａ）の流れに示されるように、第２可動部１６１が第１回動部１５１に近づいたり離れたりする動作が繰り返される。
【００４７】
なお、本実施形態では、図１４に示されるように、係合ピン１６５は、ローラ支軸１６６にローラ１６７が回転自在に支持された構成になっていて、ローラ１６７がガイド突壁１０７と当接するようになっている。これにより、係合ピン１６５とガイド突壁１０７の摺動抵抗を低減することが可能となる。
【００４８】
このように、本実施形態の遊技機１０では、第１可動部１５１が上下に移動すると、その移動に伴って、第２可動部１６１が回動軸部１６１Ｊを中心に回動する。これにより、可動演出部材１５０が第１可動部１５１のみを備える場合と比較して、可動演出部材１５０の興趣の向上が図られる。なお、第２可動部１６１の係合ピン１６５と支持ベース１０１のガイド突壁１０７は、第１可動部１５１の移動に伴って第２可動部１６１を移動させる「連動機構」を構成している。
【００４９】
また、本実施形態の遊技機１０では、図１２に示されるように、第２可動部１６１は、トーションバネ１６３によって第１可動部１５１から離れる方向に付勢され、ガイド突壁１０７は、第１可動部１５１から離れた側から係合ピン１６５と当接するように配置されている。本実施形態によれば、回動軸部１６１Ｊを中心とする円周方向で係合ピン１６５を挟むようにガイド突壁１０７を１対設ける必要がなくなる。なお、第２可動部１６１は、第１可動部１５１に近づく方向に付勢され、ガイド突壁１０７は、第１可動部１５１に近い側から係合ピン１６５と当接するように配置されてもよい。
【００５０】
ところで、本実施形態の遊技機１０では、可動演出部材１５０が外力等を受けて支持ベース１０１から前側に離れた（浮き上がった）ときに、係合ピン１６５がガイド突壁１０７を乗り越えることが考えられる。係合ピン１６５がガイド突壁１０７を乗り越えると、係合ピン１６５とガイド突壁１０７の係合が外れて、第１可動部１５１の移動に伴って第２可動部１６１を移動させることができなくなる、という問題が生じ得る。
【００５１】
上記問題を防ぐべく、本実施形態の遊技機１０では、以下の複数の構成が採用されている。なお、これら複数の構成が全て採用される必要はなく、何れか１つが採用されることで上記問題の発生を抑制することが可能となる。
【００５２】
上記問題を防ぐための第１の構成は、図１４に示されるように、係合ピン１６５がガイド突壁受容開口部１２３に受容される構成である。この第１の構成によれば、カバー１２０にガイド突壁受容開口部１２３が形成されていない場合と比較して、係合ピン１６５の突出量を大きくすることが可能となり、係合ピン１６５がガイド突壁１０７を乗り越えにくくなる。
【００５３】
なお、本実施形態の遊技機１０では、第１の構成に加え、図１４に示されるように、ガイド突壁１０７がベース本体１０２から起立してカバー１２０のガイド突壁受容開口部１２３を貫通した構成が採用されている。この構成によれば、支持ベース１０１と可動演出部材１５０（詳細には、第２可動部１６１）との間隔を狭くしつつ、ガイド突壁１０７の突出高さを高くすることが可能となる。また、本実施形態では、ガイド突壁受容開口部１２３の開口縁の波状縁部１２４が、前側から見てガイド突壁１０７と略同じ形状に形成され、ガイド突壁１０７に密接配置されるので、ガイド突壁１０７とガイド突壁受容開口部１２３を目立たなくすることが可能となっている（図１３参照）。
【００５４】
上記問題を防ぐための第２の構成は、第１可動部１５１が可動ストロークの上端に配置されたときに、図１０に示されるように、第１可動部１５１の下端突部１５６の突片部１５６Ｔが、支持ベース１０１の突片受容孔１０９に受容される構成である。この第２の構成によれば、ガイド突壁１０７の突出方向（即ち、前後方向）で第１可動部１５１が支持ベース１０１から離間することが抑制され、係合ピン１６５がガイド突壁１０７を乗り越えにくくなる。なお、第１可動部１５１が可動ストロークの中間より下方に配置されると、突片部１５６Ｔは、突片受容孔１０９から外れるので、突片部１５６Ｔが第１可動部１５１の移動の妨げになることが抑えられている。また、突片受容孔１０９を構成する陥没部１０８は、その幅方向の両端部に、幅方向中央へ向かうにつれて陥没量が大きくなる誘導部を備えているので、第１可動部１５１が可動ストロークの上端へ向かうときに、突片部１５６Ｔを受け入れやすくなっている。
【００５５】
上記問題を防ぐための第３の構成は、第１可動部１５１が可動ストロークの上端に配置されたときに、図１１に示されるように、第１可動部１５１においてケーブル９０を中継基板９２（図７参照）へ誘導するための誘導突片１５８が、支持ベース１０１に後側から重ねられる構成である。この第３の構成によれば、ガイド突壁１０７の突出方向（即ち、前後方向）で第１可動部１５１が支持ベース１０１から離間することが抑制され、係合ピン１６５がガイド突壁１０７を乗り越えにくくなる。
【００５６】
なお、本実施形態の遊技機１０では、図８及び図１３に示されるように、第１可動部１５１において第２可動部１６１を支持する支持突部１６２に、ガイド孔１０５から離れた側から係合ピン１６５（詳細には、ローラ支軸１６６）に当接可能なストッパ片１６４が設けられている。これにより、万が一、係合ピン１６５がガイド突壁１０７を乗り越えても、係合ピン１６５を支持突部１６２のストッパ片１６４に当接させて、第２可動部１６１が第１可動部１５１から離れることを規制することが可能となる。この構成によれば、係合ピン１６５がガイド突壁１０７を乗り越えた場合に、第２可動部１６１が可動演出部材１５０の周辺の部材と干渉することが抑制される。
【００５７】
［他の実施形態］
（１）上記実施形態において、第１可動部１５１に支持される第２可動部１６１は、１つであってもよいし、３つ以上であってもよい。また、第２可動部１６１は、第１可動部１５１に対して回動する構成であったが、第１可動部１５１の移動方向（上下方向）に対して交差する方向に直動する構成であってもよい。
【００５８】
（２）上記実施形態において、トーションバネ１６３を備えずに、係合ピン１６５を横方向に挟むようにガイド突壁１０７を横並びに備えて、それら２つのガイド突壁に１０７によって係合ピン１６５を移動させる構成としてもよい。
【００５９】
（３）上記実施形態において、支持ベース１０１がベース本体１０２のみで構成され、ベース本体１０２の前面に、ガイド突壁１０７に隣接して係合ピン１６５を受容する窪みが形成されてもよい。
【００６０】
（４）ガイド突壁１０７は、ガイド突壁受容開口部１２３の中央部を貫通してもよい。なお、この場合、ガイド突壁受容開口部１２３とガイド突壁１０７とで、１つの意匠を構成してもよい。
【００６１】
（５）上記実施形態では、第１可動部１５１は、上下方向に延びる直線に沿って移動する構成であったが、遊技盤１１の前面に沿って移動すればよく、例えば、曲線や円に沿って移動してもよい
【００６２】
（６）上記実施形態では、第２可動部１６１は、第１可動部１５１の移動方向（上下方向）と直交する軸を中心に回動する構成であったが、第１可動部１５１の移動方向と異なる方向に移動すればよく、例えば、第１可動部１５１の移動方向と交差する方向に直動する構成であってもよい。
【００６３】
（７）上記実施形態において、ガイド突壁１０７の突出量が第２可動部１６１とカバー１２０との間の距離と略同じであれば、ガイド突壁１０７はガイド突壁受容開口部１２３に受容されなくてもよい。ここで、ガイド突壁受容開口部１２３が形成されていない場合、ガイド突壁１０７の突出量は、カバー１２０との干渉を避けるために、第２可動部１６１とカバー１２０との間の距離よりも小さくする必要がある。ガイド突壁受容開口部１２３が形成されていると、ガイド突壁１０７の突出量を当該距離と同じにしても、ガイド突壁１０７とカバー１２０の干渉が避けられる。
【００６４】
以下、上述した各実施の形態から抽出される特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００６５】
＜特徴Ａ群＞
以下の特徴Ａ群は、遊技機に関し、「特許文献Ａ（特開２００８−２２９０５５号公報（段落［００３３］、図３））には、上下方向に移動する移動部材を備えた遊技機が示されている。」という背景技術について、「特許文献Ａの遊技機では、移動部材の動きが単調であるという問題があり、移動部材の興趣の向上が求められている。」という課題をもってなされたものである。
【００６６】
［特徴Ａ１］
支持部材（支持ベース１０１）と、
前記支持部材に支持され、前記支持部材に対して第１方向（上下方向）に移動可能な移動部材（可動演出部材１５０）と、を有する遊技機（遊技機１０）において、
前記移動部材には、前記第１方向に移動可能な第１可動部（第１可動部１５１）と、前記第１可動部に支持されて前記第１可動部に対して前記第１方向とは異なる第２方向（回動軸部１６１Ｊを中心とする円周方向）に移動可能な第２可動部（第２可動部１６１）と、が備えられ、
前記第２可動部には、前記支持部材へ向かって突出する係合突部（係合ピン１６５）が設けられ、
前記支持部材には、前記第１可動部の移動に伴って前記第２方向に前記係合突部を移動させることで前記第１可動部に対して前記第２可動部を移動させる係合突部ガイド（ガイド突壁１０７）が設けられている、遊技機。
【００６７】
本特徴に示される構成では、第１可動部の第１方向の移動に伴って第２可動部を第２方向に移動させることが可能となるので、移動部材の興趣の向上が図られる。
【００６８】
［特徴Ａ２］
前記係合突部ガイドは、前記第２可動部へ向かって突出すると共に前記第１方向に沿って延在し、前記第２方向で前記係合突部と当接可能なガイド突壁（ガイド突壁１０７）によって構成されている、特徴Ａ１に記載の遊技機。
【００６９】
［特徴Ａ３］
前記第２可動部を前記第２方向の一方側に付勢する付勢手段（トーションバネ１６３）を有し、
前記ガイド突壁は、前記第２方向の他方側から前記係合突部と当接するように配置されている、特徴Ａ２に記載の遊技機。
【００７０】
特徴Ａ２に示される構成では、係合突部ガイドを簡易な構造にすることが可能となる。なお、ガイド突壁は、係合突部を第２方向で挟むように対をなして設けられてもよいし、特徴Ａ３のように、第２可動部を第２方向の一方側に付勢する付勢手段を備える場合には、第２方向の他方側から当接するように設けられてもよい。特徴Ａ３に示される構成では、１つの係合突部に対してガイド突壁を２つ備える必要がなくなり、１つのガイド突壁で係合突部を移動させることが可能となる。
【００７１】
［特徴Ａ４］
前記係合突部は、前記第１可動部へ向かって突出する支軸（ローラ支軸１６６）と、前記支軸を中心に回転可能なローラ（ローラ１６７）と、を有し、前記係合突部のうち前記ガイド突壁と当接する部分が前記ローラで構成されている、特徴Ａ２又はＡ３に記載の遊技機。
【００７２】
本特徴に示す構成では、係合突部とガイド突壁の摺動抵抗を低減することが可能となる。
【００７３】
［特徴Ａ５］
前記支持部材は、前記ガイド突壁に隣接した窪み（ガイド突壁受容開口部１２３）を有し、
前記係合突部は、前記窪みに受容される、特徴Ａ２乃至Ａ４のうち何れか１に記載の遊技機。
【００７４】
本特徴に示される構成では、係合突部の突出量を大きくして、ガイド突壁と係合突部の係合を外れ難くすることが可能となる。
【００７５】
［特徴Ａ６］
前記支持部材は、前記第２可動部に重ねられるベース部（ベース本体１０２）と、前記ベース部のうち前記第２可動部と対向する面に重ねられるカバー部（カバー１２０）と、を有し、
前記窪みは、前記カバー部に形成された開口部（ガイド突壁受容開口部１２３）によって構成され、
前記係合突部は、前記開口部に受容される、特徴Ａ５に記載の遊技機。
【００７６】
本特徴に示される構成では、支持部材の窪みを簡単に形成することが可能となる。また、カバー部の開口部の形状やサイズを変更することで窪みの形状やサイズを容易に変更することが可能となる。
【００７７】
［特徴Ａ７］
前記ガイド突壁は、前記ベース部から起立して前記開口部を貫通している、特徴Ａ６に記載の遊技機。
【００７８】
本特徴に示される構成では、支持部材と第２可動部との間隔を狭くしつつ、ガイド突壁の突出高さを高くすることが可能となる。
【００７９】
［特徴Ａ８］
前記開口部の開口縁には、前記ベース部と前記カバー部の重なり方向から見た前記ガイド突壁の形状と同形状に形成されて、前記ガイド突壁に密接して配置される密接縁部（波状縁部１２４）が設けられている、特徴Ａ６又はＡ７に記載の遊技機。
【００８０】
本特徴に示される構成では、ガイド突壁と開口部を目立たなくすることが可能となる。
【００８１】
［特徴Ａ９］
前記ガイド突壁の突出方向で前記第１可動部が前記支持部材から離間することを抑制する離間抑制手段（下端突部１５６の突片部１５６Ｔ）が設けられている、特徴Ａ２乃至Ａ８のうち何れか１に記載の遊技機。
【００８２】
本特徴に示される構成では、係合突部とガイド突壁の係合を外れ難くすることが可能となる。
【００８３】
［特徴Ａ１０］
支持部材（支持ベース１０１）と、
前記支持部材に支持され、前記支持部材に対して第１方向に移動可能な移動部材（可動演出部材１５０）と、を有する遊技機において、
前記移動部材には、前記第１方向に移動可能な第１可動部（第１可動部１５１）と、前記第１可動部に支持されて前記第１可動部に対して前記第１方向とは異なる第２方向に移動可能な第２可動部（第２可動部１５２）と、が備えられ、
前記第１可動部の移動に伴って前記第２可動部を移動させる連動機構（第２可動部１６１の係合ピン１６５と支持ベース１０１のガイド突壁１０７）を有する、遊技機。
【００８４】
本特徴に示される構成では、第１可動部の第１方向の移動に伴って第２可動部を第２方向に移動させることが可能となるので、移動部材の興趣の向上が図られる。
【００８５】
なお、特徴Ａ１０に示される構成に、特徴Ａ１〜Ａ９に示される構成が組み合わされてもよい。
【符号の説明】
【００８６】
１０    遊技機
１００    可動役物装置
１０１    支持ベース
１０２    ベース本体
１２０    カバー
１０７    ガイド突壁
１５０    可動演出部材
１５１    第１可動部
１６１    第２可動部
１６５    係合ピン
【図１】
2020032019.tif 000003
【図２】
2020032019.tif 000004
【図３】
2020032019.tif 000005
【図４】
2020032019.tif 000006
【図５】
2020032019.tif 000007
【図６】
2020032019.tif 000008
【図７】
2020032019.tif 000009
【図８】
2020032019.tif 000010
【図９】
2020032019.tif 000011
【図１０】
2020032019.tif 000012
【図１１】
2020032019.tif 000013
【図１２】
2020032019.tif 000014
【図１３】
2020032019.tif 000015
【図１４】
2020032019.tif 000016
【図１５】
2020032019.tif 000017
【図１６】
2020032019.tif 000018
【図１７】
2020032019.tif 000019
【図１８】
2020032019.tif 000020